(57)【要約】  【課題】受信するチャンネルを容易に追加設定することができ、しかも当該チャンネルが選局されると、指向性切替アンテナで放送電波の最良の受信状態が即座に得られる放送受信機を提供する。  【解決手段】受信するチャンネルを追加設定する場合、制御部は、スマートアンテナ（指向性切替アンテナ）の指向性方向を順番に切り替え、各指向性方向での放送電波の受信確認をする（Ｓ４〜Ｓ８）。全ての指向性方向での受信確認が終了すると（Ｓ７：ＹＥＳ）、放送が再生可能で、且つ放送電波の受信が最良となるスマートアンテナの指向性方向を決定する（Ｓ９）。該当する指向性方向が存在すれば（Ｓ１０：ＹＥＳ）、追加するチャンネルのデータの一部として決定した指向性方向をチャンネル設定テーブルに保存する（Ｓ１１）。そして、テレビ放送を視聴するために当該チャンネルが選局されると、上記の決定された指向性方向がスマートアンテナに設定される。【選択図】  図４
2006025321.tif 000002
【特許請求の範囲】
【請求項１】
予め設定された複数の方向に指向性を切替可能なスマートアンテナによって、複数の放送局から送信される各チャンネルのデジタルテレビ放送を受信する放送受信機において、
前記スマートアンテナの指向性方向を切り替えると共に機器の各部を制御する制御部と、
各受信チャンネルのチャンネル情報と当該チャンネルのデジタルテレビ放送を受信可能な前記スマートアンテナの指向性方向を示す方向情報とを対応付けて記憶するメモリと、を備え、
受信可能なチャンネルを受信チャンネルとして前記メモリに新たに追加する場合には、前記制御部は、前記スマートアンテナアンテナの指向性方向を全方向に切り替えながら当該チャンネルのデジタルテレビ放送を受信させて行き、全指向性方向の中から当該チャンネルのデジタルテレビ放送を再生可能で、且つ最良に受信する指向性方向を決定し、当該チャンネルのサブチャンネルの情報を含むチャンネル情報と、前記決定した指向性方向を示す方向情報とを対応付けて前記メモリに記憶させ、さらに、前記スマートアンテナの指向性方向を切り替える際に前記指向性方向を切り替えている旨をテレビジョン受像機に表示させ、
前記追加されたチャンネルのサブチャンネルのいずれかが前記メモリに記憶されたチャンネル情報に基づいて選局された場合には、前記制御部は、前記メモリから当該チャンネルの方向情報を読み出し、当該方向情報を指向性方向として前記スマートアンテナに設定すると共に選局されたサブチャンネルの映像をテレビジョン受像機に表示させることを特徴とする放送受信機。
【請求項２】
複数の方向に指向性を切替可能な指向性切替アンテナによって、複数の放送局から送信される各チャンネルの放送を受信する放送受信機において、
前記指向性切替アンテナの指向性方向を切り替えると共に機器の各部を制御する制御部と、
各受信チャンネルのチャンネル情報と当該チャンネルの放送を受信可能な前記指向性切替アンテナの指向性方向を示す方向情報とを対応付けて記憶するメモリと、を備え、
受信可能なチャンネルを受信チャンネルとして前記メモリに新たに追加する場合には、前記制御部は、前記指向性切替アンテナの指向性方向を全方向に切り替えながら当該チャンネルの放送を受信させて行き、全指向性方向の中から当該チャンネルの放送を再生可能で、且つ最良に受信する指向性方向を決定し、当該チャンネルのチャンネル情報と前記決定した指向性方向を示す方向情報とを対応付けて前記メモリに記憶させ、
前記追加されたチャンネルが選局された場合には、前記制御部は、前記メモリから当該チャンネルの方向情報を読み出し、当該方向情報を指向性方向として前記指向性切替アンテナに設定することを特徴とする放送受信機。
【請求項３】
請求項２に記載の放送受信機において、
前記指向性切替アンテナの指向性方向を切り替える際に、前記制御部は、前記指向性方向を切り替えている旨を表示手段に表示させることを特徴とする放送受信機。
【発明の詳細な説明】
【技術分野】
【０００１】
本発明は、放送局から送信される所定のチャンネルの放送を指向性切替アンテナによって受信する放送受信機に関する。
【背景技術】
【０００２】
テレビジョン放送などの放送電波の受信特性を良くするために、複数のアンテナ素子の組み合わせを切り替え回路で変更可能なアンテナをテレビジョン受像機（以下、テレビという）に接続し、テレビに電源を投入した時またはチャンネルを切り替えた時に、複数のアンテナ素子の組み合わせを切り替え回路で変更しながら選局されたチャンネルの受信信号を調べ、受信信号の最良点が検出された時に切り替え回路を固定することが提案されている（例えば、特許文献１）。また、複数のアンテナ素子の組み合わせを切り替え回路で変更するときに、チャンネル番号と複数のアンテナ素子の選択状態とをテレビにオンスクリーン表示することも提案されている（例えば、特許文献２）。しかし、このアンテナは複数のアンテナ素子の組み合わせを変更することによりアンテナの指向性を変えているので、指向性を微妙に調整することができない。また、アンテナの指向性方向を周囲３６０°の範囲にわたって変えることもできないので、アンテナの四方八方に放送局（または基地局）が点在するような環境においては、全ての放送局の放送を視聴可能な受信状態で受信することができないという問題もある。
【０００３】
そこで、複数のアンテナ素子が受信する電波の振幅と位相とを変化させることによりアンテナの指向性を制御することが提案されている（例えば、特許文献３）。ここでは、テレビの受信機に電源が投入された時またはチャンネルが切り替えられた時に、アンテナの指向性を０°から３６０°の全方位にスキャンさせる。そのとき、最大の受信電力レベルが得られる方向を探し、当該方向にアンテナの指向性を保持するように制御する。また、この受信機は、ゴーストのない画像をユーザが眼で確認してアンテナの指向性を定める手動設定モードも備えている。手動設定モードが選択させているときにチャンネルが切り替えられると、手動設定モードでメモリに設定されたデータに基づいてアンテナの指向性が設定される。また、手動設定モードで指向性の調整が手動で行われると、調整されたアンテナの指向性のデータでメモリに記憶されているデータを更新するようにしている。
【特許文献１】特開昭６３−４２５８１号公報（第２頁右上欄第１３行〜第３頁左上欄第１８行）
【特許文献２】特開昭６３−１７１０２９号公報（第２頁右下欄第１５行〜第３頁左下欄第１１行、第２図）
【特許文献３】特開平１１−２９８２２６号公報（段落０００８〜００１６）
【発明の開示】
【発明が解決しようとする課題】
【０００４】
しかしながら、特許文献１、３のものにおいては、チャンネルが切り替えられるたびに最良の映像が得られるようにアンテナの指向性の探索（走査）が行われる。このため、チャンネルを切り替えてから最良の映像が得られるまでに時間がかかり、ユーザがイライラ感をつのらせるという問題がある。この問題は、特許文献２に示すようにアンテナ素子の選択状態をオンスクリーン表示することによって解決されるものではない。また、仮に最良の映像が得られるアンテナの指向性がチャンネルごとにメモリなどに設定されているとしても、メモリに設定されていないチャンネルを新たに視聴する場合には、そのチャンネルのアンテナの指向性の設定をしなければならないが、その点については特許文献１〜３には何ら示されていない。尚、上記の手動設定モードでのアンテナの指向性の調整は、アンテナの指向性方向を手動で順番に変更しながら受信状態の最良点を探すものであり、面倒な作業を強いられるので、必ずしも全てのユーザによって使用されるものとはいえない。
【０００５】
本発明は、上記問題点を解決するものであって、その課題とするところは、受信するチャンネルを容易に追加設定することができ、しかも当該チャンネルが選局されると、指向性切替アンテナで放送電波の最良の受信状態が即座に得られる放送受信機を提供することにある。
【課題を解決するための手段】
【０００６】
本発明では、複数の方向に指向性を切替可能な指向性切替アンテナによって、複数の放送局から送信される各チャンネルの放送を受信する放送受信機において、指向性切替アンテナの指向性方向を切り替えると共に機器の各部を制御する制御部と、各受信チャンネルのチャンネル情報と当該チャンネルの放送を受信可能な指向性切替アンテナの指向性方向を示す方向情報とを対応付けて記憶するメモリと、を備える。そして、受信可能なチャンネルを受信チャンネルとしてメモリに新たに追加する場合には、制御部は、指向性切替アンテナの指向性方向を全方向に切り替えながら当該チャンネルの放送を受信させて行き、全指向性方向の中から当該チャンネルの放送を再生可能で、且つ最良に受信する指向性方向を決定し、当該チャンネルのチャンネル情報と決定した指向性方向を示す方向情報とを対応付けてメモリに記憶させる。さらに、追加されたチャンネルが選局された場合には、制御部は、メモリから当該チャンネルの方向情報を読み出し、当該方向情報を指向性方向として指向性切替アンテナに設定する。ここで、チャンネル情報とは、典型的にはチャンネルの番号である。
【０００７】
上記のように、ユーザが追加するチャンネルさえ指定すれば、制御部は、指向性切替アンテナの指向性方向を全方向に切り替えながら、全指向性方向の中から当該チャンネルの放送を再生可能で、且つ最良に受信する指向性方向を決定し、追加するチャンネルのチャンネル情報と決定した指向性方向を示す方向情報とを対応付けてメモリに記憶させる（追加する）。これにより、受信するチャンネルの追加設定を自動的に短時間で行うことができる。また、追加されたチャンネルの放送を視聴するために当該チャンネルが選局されると、制御部は、当該チャンネルのチャンネル情報に対応付けられてメモリに記憶されている方向情報を読み出し、その方向情報を指向性方向として指向性切替アンテナに設定するので、すなわち、特許文献１，３のようにチャンネルが切り替えられてからアンテナの指向性方向の探索（走査）が行われないので、当該チャンネルの放送を最良の受信状態で即座に視聴することができる。
【０００８】
本発明の実施形態においては、指向性切替アンテナの指向性方向を切り替える際に、制御部は、指向性方向を切り替えている旨を表示手段に表示させる。
【０００９】
上記のように放送の受信中に指向性方向の切り替え（走査）が行われると、走査中はスノーノイズが表示され、または雑音が出力されることが多いが、上記のように指向性方向を切り替えている旨を表示手段に表示させることで、走査が行われていることが視覚的に認識可能となり、放送受信機が故障したのではないかという不安感をユーザに持たれるのを防止することができる。尚、表示手段とは、例えば、テレビ放送を受信する放送受信機においてはテレビジョン受像機のモニタであり、ラジオ放送を受信する放送受信機においては操作部の表示パネルなどである。
【００１０】
また、本発明の実施形態においては、予め設定された複数の方向に指向性を切替可能なスマートアンテナによって、複数の放送局から送信される各チャンネルのデジタルテレビ放送を受信する放送受信機において、スマートアンテナの指向性方向を切り替えると共に機器の各部を制御する制御部と、各受信チャンネルのチャンネル情報と当該チャンネルのデジタルテレビ放送を受信可能なスマートアンテナの指向性方向を示す方向情報とを対応付けて記憶するメモリと、を備える。そして、受信可能なチャンネルを受信チャンネルとしてメモリに新たに追加する場合には、制御部は、スマートアンテナアンテナの指向性方向を全方向に切り替えながら当該チャンネルのデジタルテレビ放送を受信させて行き、全指向性方向の中から当該チャンネルのデジタルテレビ放送を再生可能で、且つ最良に受信する指向性方向を決定し、当該チャンネルのサブチャンネルの情報を含むチャンネル情報と、決定した指向性方向を示す方向情報とを対応付けてメモリに記憶させ、さらに、スマートアンテナの指向性方向を切り替える際に指向性方向を切り替えている旨をテレビジョン受像機に表示させる。さらに、追加されたチャンネルのサブチャンネルのいずれかがメモリに記憶されたチャンネル情報に基づいて選局された場合には、制御部は、メモリから当該チャンネルの方向情報を読み出し、当該方向情報を指向性方向としてスマートアンテナに設定すると共に選局されたサブチャンネルの映像をテレビジョン受像機に表示させる。ここで、チャンネル情報とは、典型的にはチャンネルの番号であり、サブチャンネルの情報を含む。サブチャンネルの情報とは、サブチャンネルごとのユーザチャンネル番号などである。
【００１１】
上記のように、追加するチャンネルのサブチャンネルの情報を含むチャンネル情報と、スマートアンテナの全指向性方向の中から追加するチャンネルのデジタルテレビ放送を再生可能で、且つ最良に受信する指向性方向を示す方向情報とを対応付けてメモリに記憶させる（追加する）。これにより、メモリに記憶されたチャンネル情報、より具体的にはサブチャンネルの情報に基づいて、リモコンなどを用いて視聴するサブチャンネルを簡単に選局することができる。また、サブチャンネルの情報と方向情報とが対応付けられてメモリに記憶されているので、サブチャンネルが選局されると、制御部は、当該サブチャンネルのデジタルテレビ放送を最良の受信状態で受信する指向性方向を示す方向情報をメモリから読み出し、それをスマートアンテナに設定することができる。これにより、サブチャンネルのデジタルテレビ放送の映像が最良の受信状態で即座にテレビジョン受像機に表示される。さらに、指向性切替アンテナの指向性方向を切り替える（走査する）際に、指向性方向を切り替えている旨をテレビジョン受像機に表示させるので、走査が行われていることが視覚的に認識可能となる。これにより、走査中にスノーノイズが表示される場合であっても、放送受信機が故障したのではないかという不安感をユーザに持たれるのを防止することができる。
【発明の効果】
【００１２】
本発明によれば、新たに受信するチャンネルの追加設定を自動的に短時間で行うことができ、しかも視聴するために当該チャンネルが選局されると、即座に最良の受信状態で当該チャンネルの放送を受信することができる。
【発明を実施するための最良の形態】
【００１３】
図１は、テレビジョン放送（以下、テレビ放送という）の受信システムを示すブロック図である。放送受信機１とテレビジョン受像機３（以下、テレビ３という。）とは、一般家庭の住居内に据置されていて、ケーブルにより接続されている。スマートアンテナ２は、住居の屋根などに取り付けられていて、ケーブルにより放送受信機１に接続されている。このスマートアンテナ２は、指向性を切り替えることのできるアンテナ（以下、指向性切替アンテナという）の一例であり、指向性を周囲の１６方向に切り替えられることが規格で規定されている。また、スマートアンテナ２は、４本のアンテナ素子２ａ〜２ｄと、各アンテナ素子２ａ〜２ｄに対応させて設けた位相器、合成器、および制御回路等（アンテナ素子２ａ〜２ｄ以外は図示省略）を備えている。そして、各アンテナ素子２ａ〜２ｄで受信された信号の位相が各位相器で制御され、位相制御された信号が合成器で合成されることにより、スマートアンテナ２の指向性が１６方向に電気的に切り替えられる。尚、以下では、放送受信機１はデジタルテレビ放送を受信する放送受信機であるとして説明する。
【００１４】
図２は、スマートアンテナ２の指向性方向を示す図である。図の各直線はスマートアンテナ２の切替可能な指向性方向を示し、各直線が交差する点はスマートアンテナ２の中心を示す。０〜１５の番号は各指向性方向を示す方向番号である。つまり、スマートアンテナ２は、周囲３６０°を１６分割した各方向に指向性を切り替えることができる。放送受信機１（制御部４）は、複数の放送局より送信されるデジタルテレビ放送の電波をそれぞれ最良の状態で受信できるようにスマートアンテナ２を制御する、すなわちスマートアンテナ２の指向性方向を最適な方向に切り替える。
【００１５】
制御部４はＣＰＵ、ＲＯＭ、ＲＡＭ等から構成される。ＲＯＭには、制御用のプログラムおよびデータが記憶（設定）されている。また、受信できる可能性のある全てのテレビジョン放送のチャンネル（以下、受信候補のチャンネルという）の番号および信号周波数帯域も対応付けられて設定されている。この受信候補のチャンネルの番号と信号周波数帯域とが対応付けられた情報は、据付時などに放送受信機１とスマートアンテナ２とがケーブルで接続された後に、制御部４によって上述のスマートアンテナ２の制御回路に設定される。ＲＡＭには、制御用のデータが読み書き可能に記憶される。制御部４は、上記のプログラムによって、放送受信機１の各部を制御すると共に、スマートアンテナ２の指向性方向の切り替え制御を行う。
【００１６】
チューナ５は、スマートアンテナ２によって受信されたテレビ放送電波から選局されているチャンネルのテレビ放送信号を抽出する。信号処理部６は、チューナ５から出力されるテレビ放送信号を処理して映像信号と音声信号とを生成し、生成した映像信号と音声信号とをテレビ３に出力する。ＯＳＤ回路７は、制御部４から出力される画像データをテレビ３にＯＳＤ（オンスクリーン表示）として表示できるように、映像信号に画像データの信号を重畳する。テレビ３は、ＯＳＤ回路７から出力される映像信号と、音声信号とを処理して、映像をモニタに表示し、音声をスピーカから出力する。操作部９は、チャンネルキー等の各種のキーや電源スイッチを備えている。リモコン１１は、チャンネルキー、決定キー、カーソルキー等の各種のキーを備えている。リモコン１１のキーが押されると、リモコン受信部１０を介して押されたキーの信号が制御部４へ送信される。
【００１７】
図３は、不揮発性のメモリ８に記憶されているチャンネル設定テーブルの一例を示す。図３（ｂ）に示すチャンネル設定テーブルＴ２は、後述するチャンネル追加処理によって番号５のチャンネルの情報が図３（ａ）のチャンネル設定テーブルＴ１に追加された後のテーブルである。また、チャンネル設定テーブルＴ１、Ｔ２を特定する必要がない場合は、チャンネル設定テーブルＴということにする。このチャンネル設定テーブルＴは、テレビ放送がデジタルテレビ放送である場合のものであるが、アナログテレビ放送のみを受信する場合、または両者を受信する場合にも、同様のテーブルが用いられる。チャンネル設定テーブルＴは、例えば、最初に放送受信機を設置したときに行われる全チャンネル設定処理によって生成される。チャンネル設定テーブルＴには、チャンネル番号とサブチャンネル／ユーザチャンネルとからなるチャンネル情報と、方向情報とが対応付けられて記憶されている。
【００１８】
チャンネル番号は、放送受信機１で受信するデジタルテレビ放送のチャンネルの番号（２など）であり、上述のＲＯＭに設定されている受信候補のチャンネルのうちで、放送受信機１で受信するチャンネルの番号である。方向情報は、該当するチャンネルのデジタルテレビ放送を受信するのに最適なスマートアンテナの指向性方向を示す情報、すなわち方向番号０〜１５のいずれかである。次に、サブチャンネル／ユーザチャンネルについて説明する。デジタルテレビ放送では、１つのチャンネルの放送信号の中に複数のサブチャンネルの放送信号が分離可能に含まれている。さらに、１つのチャンネルの放送信号の中には、各サブチャンネルを選局するときにリモコン１１などで指定する番号（以下、ユーザチャンネル番号という）も含まれている。そして、サブチャンネル／ユーザチャンネルの欄には、各チャンネルのサブチャンネルごとのユーザチャンネル番号が記憶されている。このサブチャンネルごとのユーザチャンネル番号は上述の信号処理部６で抽出され、制御部４に送られる。
【００１９】
このチャンネル設定テーブルＴは、例えば、番号４のチャンネルのデジタルテレビ放送がサブチャンネル１，２を含み、スマートアンテナ２の指向性方向が方向０に設定されているときに最良の状態で受信され、各サブチャンネルのユーザチャンネル番号がそれぞれ６１，６２であることを示す。尚、アナログテレビ放送では、サブチャンネルは存在しない。また、放送受信機１でデジタルテレビ放送およびアナログテレビ放送を受信する場合には、チャンネル情報として、デジタルテレビ放送およびアナログテレビ放送の種別を示すデータなどを含めるようにしてもよい。また、上記の全チャンネル設定処理では、ＲＯＭから受信候補のチャンネルの番号が順番に読み出されて、そのチャンネルが受信可能であれば、当該チャンネルの番号、当該チャンネルのデジタルテレビ放送を最良の受信状態で受信するスマートアンテナ２の方向情報、およびサブチャンネルごとのユーザチャンネル番号がチャンネル設定テーブルＴに順次設定され、チャンネル設定テーブルＴが生成される。
【００２０】
図４は、チャンネル追加削除処理の手順を示すフローチャートであり、本発明にかかるチャンネルを追加する部分の処理（Ｓ３〜Ｓ１２）をチャンネル追加処理という。本手順は、上述の制御部４がＲＯＭに記憶されたプログラムを実行することによって実現される。尚、チャンネル追加処理とは、チャンネル設定テーブルＴに新たに受信するチャンネルを追加する処理であり、例えば、上記の全チャンネル設定処理では、雨などのために放送信号の受信状態が悪く、チャンネル設定テーブルＴに登録されなかったチャンネルを、受信するチャンネルとしてチャンネル設定テーブルＴに追加設定する場合などに行われる。
【００２１】
まず、リモコン１１で所定の操作が行われると、制御部４は、図５（ａ）に示すチャンネル追加削除ウィンドウＷ１をＯＳＤとしてテレビ３のモニタ３ａに表示する（Ｓ１）。図５（ａ）において、斜線部はチューナ５で選局されているデジタルテレビ放送の映像を示す。Ｒ１は追加または削除するチャンネルの番号を入力する入力領域であり、入力領域Ｒ１に追加または削除するチャンネルの番号として「５」が入力されている。Ｂ１はチャンネルの追加を指示する追加ボタン、Ｂ２はチャンネルの削除を指示する削除ボタン、Ｂ３はチャンネル追加削除処理の終了を指示する終了ボタンである。
【００２２】
この状態で、リモコン１１の操作によって追加ボタンＢ１、削除ボタンＢ２または終了ボタンＢ３のいずれかが押されたか否かを繰返し調べる（Ｓ１，Ｓ２，Ｓ１４，Ｓ１６）。入力領域に削除するチャンネルの番号が入力された状態で削除ボタンＢ２が押されると（Ｓ１４：ＹＥＳ）、制御部４は、指定された番号のチャンネルをチャンネル設定テーブルＴから削除する（Ｓ１５）。このとき、制御部４は、当該チャンネルが削除された旨をモニタ３ａに５秒程度表示し（図示省略）、再びチャンネル追加削除ウィンドウＷ１をモニタ３ａに表示する（Ｓ１）。また、終了ボタンＢ３が押されると（Ｓ１６：ＹＥＳ）、制御部４は、チャンネル追加削除ウィンドウＷ１を消去し（Ｓ１７）、チャンネル追加削除処理を終了する。
【００２３】
入力領域に追加するチャンネルの番号が入力された状態で追加ボタンＢ１が押されると（Ｓ２：ＹＥＳ）、以下に述べるチャンネル追加処理が実行される。まず、制御部４は、指定されたチャンネル（追加するチャンネル）の番号をスマートアンテナ２に通知する（Ｓ３）。スマートアンテナ２は、チャンネル番号の通知を受けると、そのチャンネル番号に応じた周波数帯域の電波を受信できるように各部を設定する。このとき、チューナ５は、上記の指定されたチャンネルで選局される。さらに、制御部４は、指向性方向を方向０に切り替える制御信号をスマートアンテナ２に送信して、スマートアンテナ２の指向性方向を方向０に設定する（Ｓ４）。
【００２４】
さらに、制御部４は、図５（ｂ）に示すようにアンテナ走査ウィンドウＷ２をＯＳＤとしてテレビ３のモニタ３ａに表示させる（Ｓ５）。アンテナ走査ウィンドウＷ２には、スマートアンテナ２に設定されている指向性方向が表示される。この時点では指向性方向が方向０であるので、方向０の線が太く表示されている。後述するように、スマートアンテナ２の指向性方向が順番に切り替えられると、アンテナ走査ウィンドウＷ２に表示される太線は当該時の指向性方向に従って移動（回転）する。このようにすることで、スマートアンテナ２の指向性方向が順番に切り替えられている状況をユーザが視覚的に認識することができる。このアンテナ走査ウィンドウＷ２には、指定されたチャンネルの番号も表示されている。
【００２５】
そして、制御部４は、スマートアンテナ２の指向性方向が方向０に設定された状態において、放送電波の受信確認を行う（Ｓ６）。具体的には、制御部４は、デジタルテレビ放送信号の受信信号レベル、ビットエラーレートおよびサブチャンネルごとのユーザチャンネル番号のデータを信号処理部６から受け取り、指向性方向ごとにＲＡＭに一時的に保存する。尚、受信信号レベルが所定の基準値以下である場合は、ビットエラーレートのデータは無効である。また、ユーザチャンネル番号のデータの部分でビットエラーが発生している場合は、ユーザチャンネル番号のデータは無効である。
【００２６】
次に、スマートアンテナの指向性方向が方向１５でなければ（Ｓ７：ＮＯ）、制御部４は、スマートアンテナ２に対して指向性方向を１だけ増やした方向（ここでは、方向２）を設定し（Ｓ８）、指向性方向が方向１５となるまでＳ５，Ｓ６の処理を繰り返す。つまり、スマートアンテナ２の指向性方向を順番に切り替え、全ての指向性方向での放送電波の受信確認を行う。ここでは、指向性方向を方向０から方向１５まで昇順に切り替えるようにしているが、これとは異なる順序で指向性方向を切り替えるようにしてもよい。
【００２７】
スマートアンテナの指向性方向が方向１５であれば（Ｓ７：ＹＥＳ）、すなわち全ての指向性方向での放送電波の受信確認が終了すると、制御部４は、デジタルテレビ放送が再生可能であり、且つ放送電波の受信が最良である指向性方向を決定する（Ｓ９）。具体的には、ＲＡＭの保存されている１６の指向性方向ごとの受信信号レベルとビットエラーレートとを調べ、受信信号レベルが所定の基準値以上であり、且つサブチャンネル番号のデータ部分においてビットエラーが発生していないもののうちで、ビットエラーレートが最も小さい指向性方向を、スマートアンテナ２の最良な（最適な）指向性方向として決定する。ここで、再生可能とは、放送信号の映像がテレビ３のモニタ３ａに良好な状態で表示されることをいう。
【００２８】
該当する指向性方向（上記の条件を満たす指向性方向）が存在する場合は（Ｓ１０：ＹＥＳ）、制御部４は、決定したスマートアンテナ２の指向性方向と、指定されたチャンネル（追加するチャンネル）のチャンネルの番号と、サブチャンネルごとのユーザチャンネル番号とを対応付けてチャンネル設定テーブルＴに追加する（Ｓ１１）。例えば、番号５のチャンネルがチャンネル設定テーブルＴ１に追加されると、チャンネル設定テーブルＴ１はチャンネル設定テーブルＴ２となる。さらに、制御部４は、図６（ａ）に示す追加チャンネル情報ウィンドウＷ３を５秒程度テレビ３のモニタ３ａにＯＳＤとして表示する（Ｓ１２）。追加チャンネル情報ウィンドウＷ３には、追加したチャンネル（「５」）のサブチャンネル（「１」、「２」）ごとのユーザチャンネル番号（「７１」、「７２」）が表示される。その後、制御部４は、再びチャンネル追加削除ウィンドウＷ１をモニタ３ａに表示し（Ｓ１）、Ｓ２〜Ｓ１３の処理を繰り返す。
【００２９】
一方、該当する方向が存在しない場合は（Ｓ１０：ＮＯ）、制御部４は、指定されたチャンネルを追加できない旨をユーザに伝えるために、図６（ｂ）に示すチャンネル追加不可ウィンドウＷ４を５秒程度テレビ３のモニタにＯＳＤとして表示する（Ｓ１３）。その後、制御部４は、再びチャンネル追加削除画面Ｇ１をモニタ３ａに表示し（Ｓ１）、Ｓ２〜Ｓ１３の処理を繰り返す。
【００３０】
上記のようにチャンネル追加処理では、制御部４は、スマートアンテナ２の指向性方向を順番に自動的に切り替え、放送電波の受信確認を行い、放送が再生可能で、且つ放送電波の受信が最良となる指向性方向を決定する。そして、該当する指向性方向が存在すれば、決定した指向性方向、指定されたチャンネルの番号、およびサブチャンネルごとのユーザチャンネル番号をチャンネル設定テーブルＴに追加する。このように、追加するチャンネルが指定され、追加ボタンＢ１が押された後は、手動での操作は必要とされないので、チャンネルの追加処理を自動的に短時間で行うことができる。
【００３１】
また、追加されたチャンネルの放送を視聴するために当該チャンネルのサブチャンネルがリモコン１１を用いて選局されると、制御部４は、チャンネル設定テーブルＴから当該チャンネルの指向性方向を示す方向情報を取り出し、その方向情報をスマートアンテナ２に設定するので、ユーザは当該チャンネルの放送を最良の受信状態で即座に視聴することができる。この際、制御部４は、信号処理部６に対して受信信号から選局されたサブチャンネルの信号を抽出するように指示するので、テレビ３のモニタ３ａには、当該サブチャンネルの映像が表示され、スピーカから当該サブチャンネルの音声が出力される。尚、サブチャンネルの選局は、リモコン１１から上述のサブチャンネルごとのユーザチャンネル番号を指定することによって行われる。これに代えて、リモコン１１で所定の操作をすることにより、図７に示す選局ウィンドウＷ５をＯＳＤとしてテレビ３のモニタ３ａに表示させ、２つの３角形のチャンネル移動ボタンＢ４，Ｂ５を押すことによって、サブチャンネルの選局を行うようにしてもよい。図７は、チャンネル５のサブチャンネル１が選局されている状態を示している。
【００３２】
以上述べた実施形態では、スマートアンテナ２が接続された放送受信機１について説明したが、指向性切替アンテナはスマートアンテナ２に限定されるものではない。例えば、特許文献３に示されるような指向性を複数の方向に電気的に切り替え可能なアンテナ、またはアンテナ素子を物理的に回転させることにより指向性を切り替えるアンテナなどが接続された放送受信機にも本発明を適用することができる。
【００３３】
また、上記の実施形態では、放送受信機１がデジタルテレビ放送を受信する場合について説明したが、アナログテレビ放送、ラジオ放送、衛星放送などを受信する場合にも本発明を実施することができる。尚、アナログテレビ放送などのように受信信号のビットエラーレートという概念が存在しない場合には、受信信号レベルのみによって受信状態の良否が判定される。
【図面の簡単な説明】
【００３４】
【図１】テレビジョン放送の受信システムを示すブロック図である。
【図２】スマートアンテナの指向性方向を示す図である。
【図３】チャンネル設定テーブルの一例を示す図である。
【図４】チャンネル追加処理の手順を示すフローチャートである。
【図５】チャンネル追加処理でテレビに表示される画面を示す図である。
【図６】チャンネル追加処理でテレビに表示される画面を示す図である。
【図７】チャンネル選局時にテレビに表示される画面を示す図である。
【符号の説明】
【００３５】
１    放送受信機
２    スマートアンテナ
４    制御部
８    メモリ
Ｗ２  アンテナ走査ウィンドウ
【図１】
2006025321.tif 000003
【図２】
2006025321.tif 000004
【図３】
2006025321.tif 000005
【図４】
2006025321.tif 000006
【図５】
2006025321.tif 000007
【図６】
2006025321.tif 000008
【図７】
2006025321.tif 000009